(57)【要約】【課題】  本発明は、流体の吸い込み口、吸い込んだ流体が通過する通路、流体の吸い込み口から流体を吸引する装置、および流体の排出孔から構成された浮遊体であり、排出孔に袋を設けたもので、流体中等を遊泳し流体中の異物を回収する浮遊型環境改善装置を提供する。【解決手段】  流体の吸い込み口、吸い込んだ流体が通過する通路、流体の吸い込み口から流体を吸引する装置、および流体の排出孔から構成される浮遊体であり、排出孔に袋を設け、流体中の異物を回収することを特徴とする。【選択図】  図１
2006159170.tif 000002
【特許請求の範囲】
【請求項１】
流体の吸い込み口、吸い込んだ流体が通過する通路、流体の吸い込み口から流体を吸引する装置、および流体の排出孔から構成される浮遊体であり、排出孔に捕獲手段を設け、流体中の異物を回収することを特徴とする浮遊型環境改善装置。
【請求項２】
環境改善物質を具備して浮遊しながら流体中に拡散させることを特徴とする請求項１に記載の浮遊型環境改善装置。
【請求項３】
深度調整手段により上面や底部の流体中を移動することを特徴とする請求項１に記載の浮遊型環境改善装置。
【請求項４】
動力を設け、ガイドと推進器を動かし、安定遊泳を行うことを特徴とする請求項１に記載の浮遊型環境改善装置。
【請求項５】
遠隔操作で操作する制御室を設け無線操作にて流体中を遊泳することを特徴とする請求項１に記載の浮遊型環境改善装置。
【請求項６】
浮遊体の形状、絵文字、音にて視聴覚効果を有することを特徴とする請求項１に記載の浮遊型環境改善装置。
【発明の詳細な説明】
【技術分野】
【０００１】  本発明は、流体の吸い込み口、吸い込んだ流体が通過する通路、流体の吸い込み口から流体を吸引する装置、および流体の排出孔から構成された浮遊体であり、排出孔に捕獲手段を設けたもので、流体中等を遊泳し流体中の異物を回収する浮遊型環境改善装置に関するものである。
【背景技術】
【０００２】  従来、プール、温泉、公共の浴場等に於いて、水中の汚れ、異物等を回収するには、使用後に水を排水して清掃するしかなかった。
【発明の開示】
【発明が解決しようとする課題】
【０００３】  しかしながら、次のような問題点があった。
清掃のために毎回水を排水するのでは、水資源の無駄となる。
水を入れ替えても、最初は清潔であるが、利用者が増えると汚れが進む。
使用中に邪魔にならない様に人手で全体を満遍なく清掃するのは困難である。【０００４】  この発明の目的は、利用者が使用中にも邪魔にならない様に、全体を満遍なく清潔にするのを可能にする浮遊型環境改善装置を提供するものである。
【課題を解決するための手段】
【０００５】  本発明に係わる浮遊型環境改善装置は、請求項１に記載の様に、流体の吸い込み口、吸い込んだ流体が通過する通路、流体の吸い込み口から流体を吸引する装置、および流体の排出孔から構成される浮遊体で、排出孔に捕獲手段を設け、流体中の異物を回収するものである。
流体中を遊泳しながら流体中の異物等を吸引する装置で吸い込み口から吸い込んで排出孔の捕獲手段で回収する。【０００６】  請求項２では、浮遊型環境改善装置に環境改善物質を具備して浮遊しながら流体中に拡散させる。
環境改善物質としては、香りを発生する物やカビ等消毒剤、人体に良い薬剤等が考えられる。【０００７】  請求項３では、浮遊体の深度調整手段により上面や底部を移動する。
深度調整手段としては、浮遊体に深度調整部屋を設け、流体と異なる比重の物を積載することで深度を調整する。
その他、浮遊体に回転装置を設けて推進力等で深度を調整する方法がある。【０００８】  請求項４では、動力を設け、ガイドと推進器を動かし安定遊泳を行う。
動力として電池式のモータ等を使用してスクリュウを動かして前に進み、舵で方向変える。【０００９】  請求項５では、遠隔操作で操作する制御室を設け無線操作にて流体中を遊泳する。
地上にてリモコン操作により浮遊体を制御する。【００１０】  請求項６では、浮遊体の形状、絵文字、音にて視聴覚効果を有する。
人間に対し、形・絵文字にて視覚、音にて聴覚に訴える物を提供する。
【発明の効果】
【００１１】  請求項１によれば、
利用者が使用中にも邪魔にならない様に全体を満遍なく清潔にすることが出来る。
吸い込み機構により、遠くの異物も吸い寄せられて回収出来る。
捕獲手段としてメッシュの細かいネットやフィルターを使用し、微細な汚れも回収出来る。
コンパクトサイズであり、温泉、公衆浴場、プール、水族館等幅広く使用出来る。
オモチャ並みの装置にして家庭でも役立つ玩具として利用出来る。
流体を入れ替える事無く清掃出来るので資源の節約になる。【００１２】  請求項２によれば、
香りを発生する物やカビ等消毒剤、人体に良い薬剤等の環境改善物質が流体中に拡散される。
水、空気等の異物を除去するだけでなく、人体に役立つ物を水、空気等に供給することが出来る。【００１３】  請求項３によれば、流体中の上面から底部まで全体に亘り隈なく清潔にすることが出来る。【００１４】  請求項４によれば、流体中を安定推進し、旋回し全体を隈なく清潔にすることが出来る。【００１５】  請求項５によれば、遠隔操作で浮遊体を任意の場所に移動し全体を隈なく清潔にすることが出来る。
屋外の様な空調が困難な場所でも空中の空気をきれいに出来る。【００１６】  請求項６によれば、形・絵文字にて視覚、音にて聴覚の効果を人間に与える。
形、音により癒される。また、絵文字による宣伝効果も期待出来る。
【発明を実施するための最良の形態】
【実施の形態１】
【００１７】  図１は、浮遊型環境改善装置の水中浮遊型の外観図である。
請求項１に記載の様に、吸い込み口（１）及び排出孔（４）と、排出孔（４）に捕獲手段としての袋（６）を設け、水中の異物を回収する浮遊体としての魚本体（５）である。
また、請求項３に記載の様に魚本体（５）に深度調整手段としてのバラスト室（１２）を設け、重しを載せ変えて水面から底部まで水中の異物を回収する。
図２は、浮遊型環境改善装置の水中浮遊型の側面図である。
請求項１に記載の様に魚本体（５）は、吸い込み口（１）、流体が通過する通路（２）、流体を吸引する装置としてのスクリュウ（３）、排出孔（４）、及び方向ガイドとしての尾びれ（７）から構成されている。
スクリュウ（３）にて吸い込み口（１）から周りの水を呼び込み、通路（２）を通り排出孔（４）から水を排出して袋（６）で異物を回収する。
また、請求項４に記載の様に動力としての電池（８）、モータ（９）を設け、ガイドとしての尾びれ（７）、推進器としてのスクリュウ（３）を動かし安定遊泳を行う。
図３は、浮遊型環境改善装置の水中浮遊型の平面図である。
電池（８）でモータ（９）を動かし、ギア室（１０）、シャフト（１１）により回転力を伝達して尾びれ（７）、スクリュウ（３）を動かし遊泳する。
【実施の形態２】
【００１８】  図４は、請求項１に記載の浮遊型環境改善装置で空中浮遊型の側面図である。
吸い込み口（１）、流体が通過する通路（２）、流体を吸引する装置としてのスクリュウ（３）、排出孔（４）、捕獲手段としてのフィルター（１４）及びガイドとしての尾びれ（７）から構成された空飛ぶ魚である。
請求項３に記載の深度調整手段としての浮力室（１３）に空気より軽いガスを封入して空中に浮かぶ。
請求項５に記載の制御室（１５）とアンテナ（１６）を設けてリモコンで地上からモータ（９）を動かす等して空飛ぶ魚の動きを制御する。
また、請求項２の記載の環境改善物質として香料粉（１７）を袋にいれ、排出孔（４）からの空気流にて空中に香りを振りまく。
【実施の形態３】
【００１９】  図５は、請求項６に記載の浮遊型環境改善装置で空中浮遊型の外観図である。
装飾浮遊体（２０）は形状、絵文字にて視覚効果を発揮させる。公衆の前で使用する場合は宣伝を兼ねた物としての効果もある。
吸い込み口（１）から空気を吸い込み、内臓された流体が通過する通路（２）、流体を吸引する装置としてのスクリュウ（３）を通し、排出孔（４）から排出する。排出孔（４）に設けられた捕獲手段としてのフィルター（１４）により微細な異物を回収する。
深度調整手段としての浮力室（１３）に空気より軽いガスを封入して空中に浮んでおり、重し（１８）にて高さを調整する。
なお、紐（１９）を引っ張り、浮遊型環境改善装置を人手にて移動する。
【図面の簡単な説明】
【００２０】
【図１】  本発明の実施形態１における浮遊型環境改善装置の水中浮遊型の外観図である。
【図２】  実施形態１における浮遊型環境改善装置の水中浮遊型の側面図である。
【図３】  実施形態１における浮遊型環境改善装置の水中浮遊型の平面図である。
【図４】  実施形態２における浮遊型環境改善装置の空中浮遊型の側面図である。
【図５】  実施形態３における浮遊型環境改善装置の空中浮遊型の外観図である。
【符号の説明】
【００２１】    １  吸い込み口
２  通路
３  スクリュウ
４  排出孔
５  魚本体
６  袋
７  尾びれ
８  電池
９  モータ
１０  ギア室
１１  シャフト
１２  バラスト室
１３  浮力室
１４  フィルター
１５  制御室
１６  アンテナ
１７  香料粉
１８  重し
１９  紐
２０  装飾浮遊体
【図１】
2006159170.tif 000003
【図２】
2006159170.tif 000004
【図３】
2006159170.tif 000005
【図４】
2006159170.tif 000006
【図５】
2006159170.tif 000007